(57)【要約】【課題】使用前の準備作業と使用後の後処理作業とを簡単に行うことができる、上昇ストッパ付きかご上手摺装置等の提供。【解決手段】上昇ストッパ付きかご上手摺装置１は、エレベータのかごの外側上面の上に配置される床部分３と、前記床部分の上に設けられ、且つ、弧状に回転自在に該床部分に支持されている手摺部分５と、前記手摺部分と一体となって同期的に回転するように該手摺部分に支持された上昇ストッパ７とを備える。前記手摺部分は、前記床部分の上に倒れた待機位置と、該床部分の上で直立する使用位置との間で回転自在であり、前記上昇ストッパの延びている方向は、前記手摺部分の前記待機位置及び前記使用位置の双方において該手摺部分の回転軸の延びる方向と交差する方向に延びている。【選択図】図３
2014133646.tif 000002
【特許請求の範囲】
【請求項１】
エレベータのかごの外側上面の上に設けられる床部分と、
前記床部分の上に設けられ、且つ、弧状に回転自在に該床部分に支持されている手摺部分と、
前記手摺部分と一体となって同期的に回転するように該手摺部分に支持された上昇ストッパとを備え、
前記手摺部分は、前記床部分の上に倒れた待機位置と、該床部分の上で直立する使用位置との間で回転自在であり、
前記上昇ストッパの延びている方向は、前記手摺部分の前記待機位置及び前記使用位置の双方において該手摺部分の回転軸の延びる方向と交差する方向に延びている、
上昇ストッパ付きかご上手摺装置。
【請求項２】
前記上昇ストッパが取り付けられている前記手摺部分は、前記使用位置でみた上下部材及び横部材を含み、
前記上昇ストッパは、該上昇ストッパの延びる方向が前記待機位置及び前記使用位置の双方において前記上下部材の延びる方向に沿うように、前記手摺部分に固定されている、
請求項１の上昇ストッパ付きかご上手摺装置。
【請求項３】
前記上昇ストッパは、前記手摺部分に対しては弧状に回転しないように、該手摺部分に固定されている、
請求項２の上昇ストッパ付きかご上手摺装置。
【請求項４】
前記上昇ストッパは、前記使用位置において、該上昇ストッパの基端が前記かごのかご枠と上下に向き合うように設けられている、
請求項１〜３の何れか一項の上昇ストッパ付きかご上手摺装置。
【請求項５】
前記上昇ストッパは、前記使用位置において、該上昇ストッパの基端が前記かごのかご枠のたて枠の上端と上下に向き合うように設けられており、
前記上昇ストッパの基端には、前記たて枠の上端が挿入可能な溝が形成されている、
請求項４の上昇ストッパ付きかご上手摺装置。
【請求項６】
エレベータのかごの外側上面の上に設けられる床部分と、前記床部分の上に設けられ、且つ、弧状に回転自在に該床部分に支持されている手摺部分と、前記手摺部分と一体となって同期的に回転するように該手摺部分に支持された上昇ストッパとを備え、前記手摺部分は、前記床部分の上に倒れた待機位置と、該床部分の上で直立する使用位置との間で回転自在であり、前記上昇ストッパの延びている方向は、前記手摺部分の前記待機位置及び前記使用位置の双方において該手摺部分の回転軸の延びる方向と交差する方向に延びている、上昇ストッパ付きかご上手摺装置を用意し、
前記上昇ストッパが取り付けられている前記手摺部分を、前記待機位置から前記使用位置まで弧状に回転させる動作それ自体により、該上昇ストッパを上下に立て、
前記手摺部分を、前記使用位置から前記待機位置まで弧状に回転させるワンアクションにより、前記上昇ストッパを、かごの外側上面の上に倒す、
上昇ストッパ及びかご上手摺の準備・後処理方法。
【請求項７】
前記上昇ストッパの基端には、溝が形成されており、
前記上昇ストッパの基端は、前記手摺部分を、前記待機位置から前記使用位置まで弧状に回転させる動作それ自体により、前記かごのかご枠のたて枠の上端と上下に向き合うように移動し、該たて枠の上端が前記溝に挿入される、
請求項６の上昇ストッパ及びかご上手摺の準備・後処理方法。
【発明の詳細な説明】
【技術分野】
【０００１】
本発明は、上昇ストッパ付きかご上手摺装置、並びに、上昇ストッパ及びかご上手摺の準備・後処理方法に関するものである。
【背景技術】
【０００２】
従来より、エレベータのかご上で作業する場合の安全対策が存在している。例えば、特許文献１には、エレベータのかご上手摺装置が開示されている。このかご上手摺装置は、エレベータのかごの外側上面に搭載され、台車部分と、手摺部材部分とを備えている。台車部分は、その上に、作業者が立つ部分であり、手摺部材部分は、台車部分上で縦横に延びるような棒状の部分であり、所定部が手摺として機能する。また、台車部分には、車輪が設けられており、その車輪は、かごの外側上面に設けられたレールによって案内される。それにより、保守・点検作業を行わない時には、かごの上面からかご上手摺装置を撤去することができ、エレベータの美観の維持が図られていた。
【０００３】
また、特許文献２には、保守点検時にかご上で作業している作業者がかごの上面と昇降路の天井との間で挟まれることを防止する上昇ストッパが開示されている。
【先行技術文献】
【特許文献】
【０００４】
【特許文献１】特開２０１１−９３６１８号公報
【特許文献２】特開２００４−１１５２４４号公報
【発明の概要】
【発明が解決しようとする課題】
【０００５】
保守点検作業時、上述したようなかご上手摺装置と上昇ストッパとを一緒に用いようとした場合、まず、保守点検作業に先立ち、かごの外側上面に、かご上手摺装置を組み立て配置し、その後、さらに、かご上手摺装置に対して上昇ストッパを組み立てて配置する態様が考えられる。
【０００６】
しかしながら、そのような態様では、かご上手摺装置の組み立て作業と固定作業、上昇ストッパの組み立て作業と取り付け作業のそれぞれが必要で、非常に手間と時間がかかる問題がある。さらに、かご上手摺装置に対する上昇ストッパの位置合わせも行わなければならないため、尚更、手間と時間がかかることとなる。さらに、実際には、組み立て・固定・位置合わせ等の準備作業のほか、保守点検作業後には、エレベータの運転に向けて、かご上手摺装置及び上昇ストッパを取り外し・移動させる必要がある。よって、かかる分解、移動、取り外し等の後処理作業まであわせると、極めて手間と時間がかかる作業になってしまう問題がある。
【０００７】
本発明は、このような問題に鑑みてなされたものであり、使用前の準備作業と使用後の後処理作業とを簡単に行うことができる、上昇ストッパ付きかご上手摺装置、並びに、上昇ストッパ及びかご上手摺の準備・後処理方法を提供することを目的とする。
【課題を解決するための手段】
【０００８】
上述した目的を達成するため、本発明の上昇ストッパ付きかご上手摺装置は、エレベータのかごの外側上面の上に設けられる床部分と、前記床部分の上に設けられ、且つ、弧状に回転自在に該床部分に支持されている手摺部分と、前記手摺部分と一体となって同期的に回転するように該手摺部分に支持された上昇ストッパとを備え、前記手摺部分は、前記床部分の上に倒れた待機位置と、該床部分の上で直立する使用位置との間で回転自在であり、前記上昇ストッパの延びている方向は、前記手摺部分の前記待機位置及び前記使用位置の双方において該手摺部分の回転軸の延びる方向と交差する方向に延びている。
さらに、同目的を達成するための本発明に係る上昇ストッパ及びかご上手摺の準備・後処理方法は、エレベータのかごの外側上面の上に設けられる床部分と、前記床部分の上に設けられ、且つ、弧状に回転自在に該床部分に支持されている手摺部分と、前記手摺部分と一体となって同期的に回転するように該手摺部分に支持された上昇ストッパとを備え、前記手摺部分は、前記床部分の上に倒れた待機位置と、該床部分の上で直立する使用位置との間で回転自在であり、前記上昇ストッパの延びている方向は、前記手摺部分の前記待機位置及び前記使用位置の双方において該手摺部分の回転軸の延びる方向と交差する方向に延びている、上昇ストッパ付きかご上手摺装置を用意し、前記上昇ストッパが取り付けられている前記手摺部分を、前記待機位置から前記使用位置まで弧状に回転させる動作それ自体により、該上昇ストッパを上下に立て、前記手摺部分を、前記使用位置から前記待機位置まで弧状に回転させるワンアクションにより、前記上昇ストッパを、かごの外側上面の上に倒す。
【発明の効果】
【０００９】
本発明によれば、かご上手摺と上昇ストッパとに関し、使用前の準備作業と使用後の後処理作業とを簡単に行うことができる。
【図面の簡単な説明】
【００１０】
【図１】本発明の実施の形態１に係る上昇ストッパ付きかご上手摺装置を斜め上方から見た状態を示す図である。
【図２】上昇ストッパを立てた状態を示す部分斜視図である。
【図３】上昇ストッパの回転動作をかごの前後方向から示す説明図である。
【発明を実施するための形態】
【００１１】
以下、本発明に係る上昇ストッパ付きかご上手摺装置、並びに、上昇ストッパ及びかご上手摺の準備・後処理方法の実施の形態について添付図面に基づいて説明する。なお、図中、同一符号は同一又は対応部分を示すものとする。
【００１２】
実施の形態１．
図１は、本実施の形態１に係る上昇ストッパ付きかご上手摺装置を斜め上方から見た状態を示す図である。図２は、上昇ストッパを立てた状態を示す部分斜視図であり、図３は、上昇ストッパの回転動作をかごの前後方向から示す説明図である。上昇ストッパ付きかご上手摺装置１は、図示省略する周知のものでよいエレベータのかごの外側上面に設置される。なお、図中、矢印Ｙはかごの上下方向（高さ方向）を示し、矢印Ｚはかごの前後方向を示し、矢印Ｘはかごの左右方向を示すものとする。
【００１３】
上昇ストッパ付きかご上手摺装置１は、床部分３と、少なくとも一つの手摺部分５と、少なくとも一つの上昇ストッパ７とを備えている。床部分３は、エレベータのかごの天井（矢印ＸＺの方向に広がる）における外側（外側上面）に配置されており、床部分３の上面は、保守点検作業時、作業者が立つ部分として機能する。本実施の形態１では、床部分３は、平面視、矩形をなしている。
【００１４】
左右方向Ｘに並ぶ一対の手摺部分５はそれぞれ、床部分３の上に設けられており、弧状に回転自在に床部分３に支持されている。手摺部分５の回転軸ＣＡはそれぞれ、かごの前後方向Ｚに延びており、床部分３における対応する左右の端辺近傍に配置されている。これにより、一対の手摺部分５は、上から見ていわゆる観音開きのような態様で動作する。なお、床部分３におけるかご出入口との逆側（乗場と逆側）にも、同様な手摺部分が設けられており、保守点検作業時には、平面視コ字状に配置された三つの手摺部分が立ち上がり、作業者の左右側方及び後方（かご出入口との逆側）を囲むこととなるが、その図示は省略している。
【００１５】
図１の状態は、双方の手摺部分５が床部分３の上に倒された状態にあり、すなわち、手摺部分５それぞれは、待機位置にある。一方、図３の実線で示された状態は、手摺部分５が上下方向Ｙに沿って立ち上がった状態であり、すなわち、手摺部分５は、床部分３の上で直立する使用位置にある。手摺部分５は、このように待機位置と使用位置との間で回転自在に設けられている。
【００１６】
なお、一例であるが、本実施の形態１では、上昇ストッパ７は一方の手摺部分５にだけ設けており、図１の状態は、他方の手摺部分５が床部分３上に完全に倒されており、一方の手摺部分５は、その一部が、他方の手摺部分５に乗り上げるように倒されている。
【００１７】
手摺部分５はそれぞれ、使用位置に立てた状態でみたときに、上下方向Ｙに延びる上下部材９と、横方向（前後方向Ｚ）に延びる横部材１１とを含んでいる。
【００１８】
上昇ストッパ７は、棒状の部材であり、手摺部分５が回転する際に手摺部分５と一体となって同期的に回転するように当該手摺部分５に支持されている。すなわち、上昇ストッパ７は、床部分３に対しては手摺部分５と共に弧状に回転するものの、手摺部分５に対しては弧状に回転しないように手摺部分５に固定されている。
【００１９】
上昇ストッパ７の延びている方向は、手摺部分５の待機位置及び使用位置の双方において、対応する手摺部分５の構成面の垂線方向（図３に矢印Ｆで図示する方向）から投影的に見て（重ね合わせるように見て）、手摺部分５の回転軸ＣＡの延びる方向と交差する方向に延びている。あるいは、上昇ストッパ７の延びる方向は、手摺部分５の回転軸ＣＡの延びる方向と平行ではない向きに延びているともいえる。さらに述べると、上昇ストッパ７は、その延びる方向が待機位置及び使用位置の双方において上下部材９の延びる方向に沿うように、手摺部分５に固定されている。
【００２０】
上昇ストッパ７は、一例であるが取り付けブラケット１３によって手摺部分５の横部材１１に取り付けられている。取り付けブラケット１３の具体的な構成は特に限定されず、上昇ストッパ７を横部材１１に上記矢印Ｆ方向でみて交差するように取り付けることができれば、如何なる構成でもよいだろう。また、取り付けブラケット１３は、上昇ストッパ７の軸方向（上昇ストッパ７自体が延びる方向）に対して、上昇ストッパ７の若干の移動が許容される程度に当該上昇ストッパ７を押さえている。
【００２１】
上昇ストッパ７は、使用位置において上下に離れた少なくとも一対の横部材１１のそれぞれにおいて、対応する取り付けブラケット１３によって支持されている。
【００２２】
上昇ストッパ７は、使用位置において、上昇ストッパの基端７ａ（使用位置での下端）がかごのかご枠と上下に向き合うように設けられている。より詳細には、上昇ストッパ７は、図２及び図３に示されるように、使用位置において、上昇ストッパの基端７ａがかごのかご枠のうちの特にたて枠１５の上端と上下に向き合うように設けられている。
【００２３】
また、上昇ストッパ７の基端７ａには、たて枠１５の上端が挿入可能な溝１７が形成されている。これにより、手摺部分５が待機位置から使用位置に立てられると、相対的な関係においてたて枠１５の上端が上昇ストッパ７の基端７ａの溝１７に挿入される。
【００２４】
次に、このように構成された本実施の形態１に係る上昇ストッパ付きかご上手摺装置の動作、及び、上昇ストッパ及びかご上手摺の準備・後処理方法について、説明する。
【００２５】
まず、保守点検作業の開始に先立ち、次のような準備工程を経て、かご上手摺と上昇ストッパとを使用可能な状態にする。まず、上昇ストッパ付きかご上手摺装置１は、図１に示されるような状態にあり、手摺部分５が待機位置にある。この状態から、手摺部分５を図３の矢印Ｒで示すように回転させる。すなわち、手摺部分５を、図３に点線で示す待機位置から、実線で示す使用位置まで立ち上げる。これにより、上昇ストッパ７も手摺部分５と一体的・同期的に回転し、上下方向Ｙを指向するように立ち上がる。また、このとき、上昇ストッパの７基端７ａは、かごのたて枠１５の上端と上下に向き合うように移動し、最終的にはたて枠１５の上端が上昇ストッパの７基端７ａの溝１７に挿入される。このようにして、かご上手摺と上昇ストッパとが共に上下方向Ｙに立ち上がり、使用可能な状態となる。また、保守点検作業終了後は、上記準備工程と逆の動作を行う後処理工程により、図１に示す状態を得る。すなわち、図３の矢印Ｒと逆回りに手摺部分５を回転させることで、手摺部分５が床部分３に沿うように倒れ、同時に、上昇ストッパ７もまた床部分３に沿うように倒れる。
【００２６】
以上に説明した本実施の形態１に係る上昇ストッパ付きかご上手摺装置、及び、上昇ストッパ及びかご上手摺の準備・後処理方法によれば、手摺部分を待機位置から使用位置まで弧状に回転させる動作それ自体により上昇ストッパを使用状態として上下に立てることができ、且つ、使用位置から待機位置まで弧状に回転させる動作それ自体により上昇ストッパをかごの外側上面の上に倒すことができる。すなわち、ワンアクションにより手摺部分と上昇ストッパとの双方を使用可能な状態にしたり、非使用状態にしたりすることができる。よって、かご上手自体の組み立て作業や固定作業、上昇ストッパの組み立て作業や取り付け作業が別個に要求されることもなく、かご上手摺と上昇ストッパとの位置合わせ作業も必要ない。また、保守点検作業後も同様に、かご上手摺及び上昇ストッパのそれぞれにつき取り外し作業や邪魔にならない場所への移動作業を要求されない。すなわち、本実施の形態１によれば、かご上手摺及び上昇ストッパそれぞれに関し、組み立て、取り付け、位置合わせ、取り外し・分解、移動という一連の作業が不要となり、使用前の準備作業と使用後の後処理作業とを簡単に行うことができる。
【００２７】
また、手摺部分と上昇ストッパとは常に一体的に移動・待機するため、誤って上昇ストッパだけを取り付け忘れて、保守点検作業を始めてしまうことを防止することができる。さらに、上昇ストッパは待機位置においても手摺部分に固定されている。このため、取り付け忘れ抑制のため上昇ストッパを床部分の上に置きながらも、保守点検作業以外の時にかごの振動で上昇ストッパが騒音の原因になることを回避することができる。また、かご上手摺だけを設置する際に、取り付け前の上昇ストッパが床部分の上にあって、作業者のかご上手摺の設置作業の邪魔になるといった状況自体が生じないで済む。
【００２８】
また、本実施の形態１では、上昇ストッパは、かごの荷重や強度を負担するかご枠に下から支持されるように設置されることとなり、さらに、そのかご枠の中でも、上昇ストッパと同じく上下に延びるたて枠に支持されることから、より強固で安全な保護構造を提供することができる。さらに、上昇ストッパとたて枠とが、溝に挿入される関係で接続されることから、上昇ストッパの機能中、上昇ストッパの下端がたて枠の上端からずれることを抑制することができ、それによっても、より安全な保護構造を提供することができる。
【００２９】
以上、好ましい実施の形態を参照して本発明の内容を具体的に説明したが、本発明の基本的技術思想及び教示に基づいて、当業者であれば、種々の改変態様を採り得ることは自明である。
【符号の説明】
【００３０】
１  上昇ストッパ付きかご上手摺装置、３  床部分、５  手摺部分、７  上昇ストッパ、７ａ  基端、９  上下部材、１１  横部材、１５  たて枠、１７  溝。
【図１】
2014133646.tif 000003
【図２】
2014133646.tif 000004
【図３】
2014133646.tif 000005